(57)【特許請求の範囲】
【請求項１】
原稿が載置される載置面とこれを囲む周辺部とを有する原稿台と、前記原稿台における前記載置面の反対側に配置され移動しながら原稿を読み取る画像読取手段と、前記原稿台の前記載置面側を覆い前記原稿台に対して開閉する蓋体と、を備えた画像読取装置であって、
前記蓋体の前記原稿台側の面に備えられ、前記載置面に載置された原稿を押圧する押え部材と、
前記画像読取手段の移動によって変位するカム手段と、
前記カム手段に備えられ、前記押え部材に当接し前記押え部材を前記載置面に対して接離動させるカム面と、
前記画像読取手段の動作を制御する制御手段と、が設けられ、
前記制御手段は、前記画像読取手段で原稿の大きさを検出する予備走査モードと、前記画像読取手段で原稿を読み取る本走査モードとを有しており、
前記予備走査モードでは、前記カム手段によって、少なくとも前記画像読取手段に対向する前記押え部材の部位が前記載置面から離隔され、
前記本走査モードでは、前記カム手段によって前記押え部材が前記載置面に接近されることを特徴とする画像読取装置。
【請求項２】
前記押え部材は、前記載置面に対向する平板状の部材であって、前記押え部材全体が、前記予備走査モードでは前記載置面から離隔し、前記本走査モードでは前記載置面に接近することを特徴とする請求項１に記載の画像読取装置。
【請求項３】
前記カム手段は、前記原稿台における前記載置面の反対側に配置され、前記カム面は、前記周辺部に穿設された穴部を通して、前記押え部材側に設けた突出部に当接することを特徴とする請求項１または２に記載の画像読取装置。
【請求項４】
前記カム手段は、前記画像読取手段と当接する当接部を有していて、前記当接部は、前記画像読取手段が前記本走査モードを行うときに移動する移動範囲の外側に配置されていて、前記カム手段を変位させるときに、前記画像読取手段を前記当接部と当接する位置へ移動させることを特徴とする請求項３に記載の画像読取装置。
【発明の詳細な説明】
【技術分野】
【０００１】
本発明は、原稿を原稿台の載置面に静置して、画像読取手段を移動させながら原稿を読み取る、所謂フラットベッドスキャナタイプの画像読取装置に関するものである。
【背景技術】
【０００２】
従来から、コピー装置やスキャナ装置や、これらの機能を併設する多機能装置に搭載される画像読取装置として、原稿台に静置した原稿をＣＣＤ（Charge Coupled Devices）などの画像読取手段を移動させながら読み取るフラットベッドスキャナタイプや、静止する画像読取手段に対向する位置を通過するように原稿を搬送しながら読み取る自動原稿搬送機構（ＡＤＦ：Auto Document Feeder）タイプがある。
【０００３】
画像読取装置では、原稿のサイズを元に等倍、拡大、縮小のいずれかを行い、対応するサイズの記録紙に画像を記録するので、原稿サイズを正しく検知する必要がある。原稿サイズを正しく検知する方法として、自動原稿搬送機構のタイプでは、搬送路に設けたセンサで、原稿の先端と後端の通過時間の差を読み取る等して原稿サイズを検知している。一方、フラットベッドスキャナとして原稿台に原稿を静置して読み取るタイプでは、画像読取手段が、原稿の内容を読み取るための走査（本走査）を行う前に、予備的に走査（予備走査）して、原稿のサイズの検知を行う方法等が知られている。
【０００４】
ところで、一般的には、特許文献１等に記載されているように、原稿台にはこれを覆う開閉可能な蓋体が装着されていて、蓋体の内側に、原稿を原稿台に押し付けるための押え部材が設けられている。
【特許文献１】特開平３−３４７６５号公報
【発明の開示】
【発明が解決しようとする課題】
【０００５】
通常、原稿には白色の紙が使用されることが多いため、白色の押え部材で原稿が押えられていると、予備走査で原稿のサイズを読み取る時に、原稿と押え部材との境界が判別し難く、原稿のサイズを正確に把握し難いという問題があった。そのため、押え部材の色を白色と異なる黒色等に着色して、原稿と押え部材との境界線を明確にする方法を採用することもあった。
【０００６】
しかしながら、特許文献１の「従来の技術」にも記載されているように、黒色に着色された押え部材が原稿に密着していると、本走査で原稿を読み取るときに押え部材も読み取ってしまい、原稿の周囲が黒く縁取りされた画像として読み取られる場合があるので、原稿の内容を正しく読み取ることができなかった。
【０００７】
本発明は、上記課題を解消するものであって、原稿台に静置した原稿のサイズを読み取るときに、原稿を押える押え部材が白色に着色されていても、正確に原稿サイズを検知することができる画像読取装置の実現を目的とするものである。
【課題を解決するための手段】
【０００８】
前記目的を達成するために、請求項１に記載の発明における画像読取装置は、原稿が載置される載置面とこれを囲む周辺部とを有する原稿台と、前記原稿台における前記載置面の反対側に配置され移動しながら原稿を読み取る画像読取手段と、前記原稿台の前記載置面側を覆い前記原稿台に対して開閉する蓋体と、を備えた画像読取装置であって、前記蓋体の前記原稿台側の面に備えられ、前記載置面に載置された原稿を押圧する押え部材と、前記画像読取手段の移動によって変位するカム手段と、前記カム手段に備えられ、前記押え部材に当接し前記押え部材を前記載置面に対して接離動させるカム面と、前記画像読取手段の動作を制御する制御手段と、が設けられ、前記制御手段は、前記画像読取手段で原稿の大きさを検出する予備走査モードと、前記画像読取手段で原稿を読み取る本走査モードとを有しており、前記予備走査モードでは、前記カム手段によって、少なくとも前記画像読取手段に対向する前記押え部材の部位が前記載置面から離隔され、前記本走査モードでは、前記カム手段によって前記押え部材が前記載置面に接近させるものである。
【０００９】
また、請求項２に記載の発明は、請求項１に記載の画像読取装置において、前記押え部材は、前記載置面に対向する平板状の部材であって、前記押え部材全体が、前記予備走査モードでは前記載置面から離隔し、前記本走査モードでは前記載置面に接近することを特徴とするものである。
【００１１】
請求項３に記載の発明は、請求項１または２に記載の画像読取装置において、前記カム手段は、前記原稿台における前記載置面の反対側に配置され、前記カム面は、前記周辺部に穿設された穴部を通して、前記押え部材側に設けた突出部に当接するものである。
【００１２】
請求項４に記載の発明は、請求項３に記載の画像読取装置において、前記カム手段は、前記画像読取手段と当接する当接部を有していて、前記当接部は、前記画像読取手段が前記本走査モードを行うときに移動する移動範囲の外側に配置されていて、前記カム手段を変位させるときに、前記画像読取手段を前記当接部と当接する位置へ移動させるものである。
【発明の効果】
【００１５】
請求項１に記載の発明によれば、押え部材を載置面に対して接離させるカム面を有するカム手段を備えているから、予備走査モードでは、少なくとも画像読取手段に対向する押え部材の部位を載置面から離隔させ、本走査モードでは、押え部材を載置面に接近させることができる。つまり、少なくとも画像読取手段と対向する部位では、載置面に載置された原稿と押え部材との間の隙間が、本走査モードの実行時よりも予備走査モードの実行時の方が、大きくなる。そのため、原稿の読み取り（本走査モード）への影響を少なくするために押え部材を白色に着色し、押え部材の色が原稿の色と近似していても、原稿の大きさを読み取るとき（予備走査モード）には、原稿（の側縁）と押え部材との境界線を画像読取手段で認識し易くなるので、原稿のサイズを正しく読み取ることができる。
そして、請求項１では、前記画像読取手段の移動を利用してカム手段を変位させることができ、前記カム手段のカム面によって、前記押え部材を前記載置面に対して接離動させることができる。
【００１６】
なお、上述した押え部材の載置面への接近は、押え部材が載置面に直接接触した状態と、押え部材が載置面との間に原稿を挟持する状態とを含むものである。
【００１７】
また、請求項２に記載の発明によれば、押え部材が平板状の部材であるから、接離手段により、押え部材全体を載置面に対して離隔させることができる。
【００１９】
請求項３に記載の発明によれば、カム手段は、画像読取手段と同様に、原稿台における載置面の反対側に配置されているから、カム手段を画像読取手段と当接可能に構成し易い。また、周辺部には穴部が穿設されているから、この穴部を通して、カム手段に形成したカム面を、原稿台における載置面側に配置されている押え部材の突出部に当接させることが可能となる。
【００２０】
請求項４に記載の発明によれば、カム手段の当接部は、画像読取手段が本走査モードを行うときに移動する移動範囲の外側に配置されていて、必要に応じて画像読取手段と当接する。つまり、カム手段の当接部は、本走査モードにおける画像読取手段の移動範囲と干渉しない位置に配置されている。従って、一旦、カム手段を本走査モードに対応するように変位させて、押え部材を載置面に接近させると、画像読取手段が本走査モードを行う間は、画像読取手段がカム手段と当接する必要もないし、当接する虞もない。
【発明を実施するための最良の形態】
【００２３】
以下に、本発明を具体化した実施形態について、図１〜図８を用いて説明する。本実施形態は、画像読取装置を具体化した一実施形態として、スキャナ機能、コピー機能、ファクシミリ機能、プリンタ機能を備えた多機能装置１（ＭＦＤ：Multi Function Device）を示している。
【００２４】
多機能装置１は、その合成樹脂製の本体ケース（ハウジング）２の上部に、スキャナ機能や、コピー機能、ファクシミリ機能における原稿読み取りのための画像読取装置１０が配置されている。画像読取装置１０の上部を覆う蓋体１１は、その後端部（図１の奥側）を中心として開閉自在に取り付けられている。
【００２５】
本実施形態では、図１に示すように、画像読取装置１０の下方に記録部３（図２参照）が備えられていて、本体ケース２の底部の収納空間に対して、記録媒体である用紙を積層状態で収容し且つ排紙トレイ部４を一体的に備える給紙カセット装置５が挿抜可能に設けられている。また、本体ケース２の前面の上部には、各種操作を行うボタン及びスイッチや液晶などのパネル表示部を備える操作部６が設けられている。
【００２６】
記録部３には、インクジェット式の記録ヘッド７が備えられていて、給紙カセット装置５から、Ｕターン形状に形成された搬送路８を通って記録部３に搬送された用紙にインクを吐出して画像の記録を行う。記録が終了した用紙は、排紙トレイ部４に排出される。
【００２７】
画像読取装置１０は、静置された原稿の画像（写真や文書を含む）を読み取って画像データを作成する所謂フラットベッドスキャナタイプである。多機能装置１では、画像読取装置１０で読み取った画像データを元に、ファクシミリ機能を用いて電話通信網を介して送信したり、コピー機能を用いて記録媒体としての用紙に記録したり、ケーブル等を介して接続したパーソナルコンピュータ等に送信したりする。なお、本実施形態のフラットベッドスキャナタイプの画像読取装置１０に、自動原稿搬送機構（ＡＤＦ：Auto Document Feeder）を付設してもよいが、ここでは省略した形態について説明する。
【００２８】
第１実施形態の画像読取装置１０には、図３に示すように、原稿Ｇを載置する透明なガラス板１２と周辺部１３とを有する原稿台１４が設けられている。周辺部１３は、内周及び外周がともに平面視長方形状に形成された薄い板状の部材で、周辺部１３の外周は、ガラス板１２の外周よりも一回り大きく形成されている。そして、周辺部１３は、ガラス板１２の上方に重ねられ、周辺部１３の内周から露出するガラス板１２の領域が、原稿の載置面１５となる。ガラス板１２及び周辺部１３は、いずれもその短辺がＸ軸と平行になるように配置されている。
【００２９】
周辺部１３は薄い板状であるので、ガラス板１２上に板厚分だけ突出していて、周辺部１３の内周面は、載置面１５に載置される原稿を突き当てて位置決めするのに利用される。周辺部１３のＸ軸方向に平行な一方の辺である第１辺部１３ａの上面には、原稿をガラス板１２の適正な位置に置くことを促すための目印１６が印字されている。また、周辺部１３のＹ軸方向に平行な第２辺部１３ｂと第３辺部１３ｃには、後に詳述するが、カム手段４０のカム部４２を、上方に向かって突出させるための穴部３５が穿設されている。穴部３５は、各辺部１３ｂ、１３ｃに、Ｙ軸方向に間隔をあけて２箇所ずつ形成されている。
【００３０】
ガラス板１２の下方には、画像読取手段２０が配置されている。画像読取手段２０は、光源からガラス板１２を通じて原稿に光を照射し、原稿からの反射光をレンズによる受光素子に集光して電気信号に変換するいわゆるラインイメージセンサである。画像読取手段２０は、Ｘ軸方向に長く、周知の走行機構によってガイド軸２１に沿って、Ｙ軸方向に往復移動可能に設けられている。画像読取手段２０には、ＣＩＳ（Contact Image Sensor）を適用しているが、ＣＣＤ（Charge Coupled Devise）を用いてもよい。
【００３１】
前述した、周辺部１３における第１辺部１３ａの下面側には、画像読取手段２０が、白基準と黒基準のデータを取得するための、白色部及び黒色部（ともに図示せず）が形成されている。この実施形態では、画像読取手段２０が指令のないときに待機する待機位置２５として、図４に示すように、第１辺部１３ａの下方で且つ載置面１５に近い位置を設定している。
【００３２】
原稿台１４に対向する蓋体１１の下面側には、図３に示すように、原稿を載置面１５側に押圧するための押え部材１７が設けられている。なお、蓋体１１や押え部材１７の上下は、蓋体１１を閉じた状態での上下方向に基づいて記載することとする。この押え部材１７には、少なくとも原稿台１４側の面が白色に着色されている平板状の押圧面部３０と、押圧面部３０と蓋体１１との間に配置されていて押圧面部３０が固着されている基部３１とが設けられている。押圧面部３０の平面視形状は、載置面１５の平面視形状と同じに形成されている。そして、押圧面部３０と基部３１とは、蓋体１１に上下動可能に支持されていて、そのため、蓋体１１が閉じた状態で、押圧面部３０が載置面１５に対して接離動することができる。
【００３３】
図４を用いて、この実施形態における蓋体１１と押え部材１７の構造を説明する。なお、図４〜図６は、上下（厚み）方向の寸法を強調して模式的に図示したものである。押え部材１７には、基部３１の上面に、蓋体１１側に向かって腕部３２が延設されていて、この腕部３２には上下に延びる長穴３３が穿設されている。
【００３４】
一方、蓋体１１側には原稿台１４側に垂下するフック状部材１８が設けられていて、このフック状部材１８が、押え部材１の長穴３３に挿通されて係合している。つまり、後述するカム手段４０によって、押え部材１７（押圧面部３０）が、載置面１５に対して接近した位置と離隔した位置との間で接離動するときには、長穴３３がガイドとなって、フック状部材１８の長穴３３に対する係合位置が上下に変化する。ここで言う接近とは、押圧面部３０が載置面１５に直接接触した状態と、押圧面部３０が載置面１５との間に原稿を挟持する状態とを含むものである。本実施形態では、押圧面部３０は、自重によって、原稿または載置面１５を押圧するが、基部３１と蓋体１１との間に、押え部材１７を載置面１５側に付勢する弾性部材を配置してもよい。
【００３５】
基部３１は押圧面部３０よりも平面視形状が大きく形成されていて、基部３１の下面における第２辺部１３ｂ及び第３片部３ｃ側に露出する領域には、各穴部３５（ここでは、全部で４箇所）と対向させて、周辺部１３側に突出する突出部３４が設けられている。突出部３４の突出高さは、押圧面部３０が載置面１５に直接当接（読取時には、原稿Ｇを介して載置面１５に当接）したときに、突出部３４と周辺部１３との間に隙間が形成されるように設定されている（図４（ａ）及び図４（ｂ）参照）。
【００３６】
原稿台１４の周辺部１３における第２辺部１３ｂと第３辺部１３ｃの下方で、且つ画像形成手段２０の上方には、第２及び第３辺部１３ｂ、１３ｃとそれぞれ平行状に延びるカム手段４０、４０が配置され、各カム手段４０はＹ軸方向に移動可能に支持されている。カム手段４０は細幅の薄板部材であり、Ｘ軸方向におけるガラス板１２の領域の外側において、載置面１５よりもＹ軸方向に長く形成されていて、そのＹ軸方向の両端（両端の近傍部でもよい）には下方に延びる当接部がそれぞれ形成されている。
【００３７】
カム手段４０の両端の当接部は、いずれも載置面１５の領域（画像読取手段２０が後述する本走査モードで移動する領域）の外側に設けられていて、待機位置２５に近い側（図４の左側）に位置する当接部を第１当接部４１ａ、待機位置２５に遠い側（図４の右側）に位置する当接部を第２当接部４１ｂとする。なお、この実施形態では、第２辺部１３ｂと第３辺部１３ｃの下方にそれぞれ個別にカム手段４０が設けているものとして説明するが、これら２つのカム手段４０を繋ぐブリッジ部を設けるなどして、一体的に形成してもよい。
【００３８】
カム手段４０の上面には、図４に示すように、Ｙ軸方向に離間した２箇所に正面視略台形状のカム部４２が形成されている。カム部４２はカム面として、カム手段４０の上面より高く当該上面と平行状に設けられた頂面４２ａと、頂面４２ａとカム手段４０の上面とを繋ぎ且つ頂面４２ａの矢印Ａ側（待機位置２５に近い側）に連続する傾斜面４２ｂとを有している。頂面４２ａとカム手段４０の上面との距離（頂面４２ａの突出高さ）は、頂面４２ａに突出部３４が当接したときに、載置面１５に載置された原稿（例外的に厚い原稿を除いた、汎用的な厚みを有する原稿）の上面と押圧面部３０との間に僅かな隙間が発生する程度に設定されている。
【００３９】
各カム部４２は、第２辺部１３ｂ及び第３辺部１３ｃに穿設されている各穴部３５を通って上方（押え部材１７側）に突出する。カム手段４０の移動に伴って、カム部４２がＹ軸方向に移動するため、穴部３５をカム部４２のＹ軸方向への移動を許容する大きさに形成されている。
【００４０】
画像読取手段２０は、そのＸ軸方向の端部が、第２辺部１３ｂ及び第３片部１３ｃの下方に配置されたカム手段４０と重なって移動することができる程度に、載置面１５よりもＸ軸方向に長く形成されている。従って、画像読取手段２０のＸ軸方向の両端部が、２つのカム手段４０の第１当接部４１ａに当接しながら、矢印Ａ方向に移動すると、２つのカム手段４０を同時に矢印Ａ方向に移動させることができる。カム手段４０が、図５に示す、待機位置２５を通り過ぎてさらに矢印Ａ方向に移動した位置を第１移動位置２６とする。また、画像読取手段２０のＸ軸方向の両端部が、２つのカム手段４０の第２当接部４１ｂに当接しながら、矢印Ｂ方向（図３及び図４参照）に移動すると、２つのカム手段４０を同時矢印Ｂ方向に移動させることができる。カム手段４０が、図６に示す、待機位置２５に対して載置面１５を挟んだ反対側に移動した位置を第２移動位置２７とする。
【００４１】
カム手段４０に形成されたカム部４２と、押え部材１７に形成された突出部３４との位置関係は、カム手段４０が、矢印Ａ方向へ移動して第１移動位置２６に到達する直前に、突出部３４とカム部４２の傾斜面４２ｂとが当接し、第１移動位置２６に到達したときに、突出部３４とカム部４２の頂面４２ａとが当接するように構成されている。突出部３４は、カム部４２の頂面４２ａと傾斜面４２ｂと当接する状態にあるときを除いて、周辺部３４との間に隙間が開いた状態になっている。
【００４２】
次に、図７を参照して、この画像記録装置１の制御手段としての制御部３００について説明する。この制御部３００は、多機能装置１の全体的な動作を制御するものである。
【００４３】
制御部３００は、ＣＰＵ３０１、ＲＯＭ３０２、ＲＡＭ３０３、ＥＥＰＲＯＭ３０４からなるマイクロコンピュータ、及び、それらにバス３０５を介して接続されたＡＳＩＣ（Application Specific Integrated Circuit ）３０６を中心として構成されている。
【００４４】
ＲＯＭ３０２には、多機能装置１の各種動作を制御するプログラム等が格納されており、ＲＡＭ３０３は、ＣＰＵ３０１がこれらのプログラムを実行する際に用いる各種データを一時的に記憶する記憶領域として、また作業領域として用いられる。
【００４５】
画像読取装置１０の画像読取手段２０（イメージスキャナ）で原稿を読み取って作成した画像データや、コンピュータ３１１や他のファクシミリ装置や記憶媒体３１２等の外部装置から受信した画像データも、一旦、ＲＡＭ３０３のイメージデータ領域にＡＳＩＣ３０６によりビットマップデータとして記憶される。
【００４６】
ＡＳＩＣ３０６にはＮＣＵ（Network Control Unit）３２４が接続されており、公衆回線（ＰＳＴＮ）からＮＣＵ３２４を介して入力された通信信号はモデム３２５によって復調されてからＡＳＩＣ３０６に入力される。また、ＡＳＩＣ３０６がファクシミリ送信等で画像データを外部へ送信する場合には、その画像データがモデム３２５によって通信信号に変調され、その通信信号がＮＣＵ３２４を介して公衆回線に出力される。
【００４７】
また、ＡＳＩＣ３０６は、マイクロコンピュータからの指令に従い、例えば各モータに通電する相励磁信号等を生成して、各モータの駆動回路に与える。駆動回路としては、画像読取手段２０のＹ軸方向への駆動源３１２を制御する駆動回路３１１や、記録部３の吐出を制御する駆動回路３１０等がある。
【００４８】
更に、ＡＳＩＣ３０６には、各種操作のためのパネルや入力部を有する操作部６を備えたパネルインターフェース３２０、パーソナルコンピュータ３２６などの外部機器とパラレルケーブルやＵＳＢケーブルを介してデータの送受信を行うためのパラレルインターフェース３２１やＵＳＢインターフェース３２２、記憶媒体３２７が装着される外部入力端子を備えたメモリインターフェース３２３などが接続されている。
【００４９】
画像読取手段２０で読み取られた画像データ等の、記録部３で記録すべき各種の画像データは、ＲＡＭ３０３内のイメージデータ領域に記憶されているので、この領域からＡＳＩＣ３０６により順次データが読み出され、記録ヘッド７によって用紙に画像が記録される。
【００５０】
画像読取手段２０の走査モードとして、原稿のサイズを検出するための予備走査モードと、原稿の内容を読み取って画像データを作成するための本走査モードとが設定されていている。各走査モードでは、読み取ったデータの処理が相違しているだけでなく、画像読取手段２０のＹ軸方向への移動範囲が、本走査モードよりも予備走査モードの方が、カム手段４０を変位させるために大きくなっている。原稿が載置面１５に載置され、操作部６もしくはコンピュータ３２６等の外部装置から、原稿の読み取りが指令されると、制御部３００は、画像読取手段２０を予備走査モードで動作させた後に、続けて本走査モードで動作するように構成されている。
【００５１】
上記構成の画像読取装置１０の画像の読み取りの動作を、図８のフローチャートを用いて説明する。まず、画像読取手段２０は、動作指令がない待機状態にあるときには、図４に示すように待機位置２５に位置している。そして、原稿Ｇが載置面１５に載置されて、原稿Ｇの読取指令が出される（Ｓ０１）と、まず、画像読取手段２０が待機位置２５にて白基準と黒基準のデータを取得する（Ｓ０２）。
【００５２】
押え部材１７が、載置面１５に接近している接近位置にある場合（Ｓ０３でＹｅｓ）には、画像読取手段２０が待機位置２５から矢印Ａ方向に移動し、画像読取手段２０が２つのカム手段４０の第１当接部４１ａに当接してこれを押し進める。これにより、押え部材１７の突出部３４が、カム部４２の傾斜面４２ｂに当接し、徐々に、押圧面部３０が、載置面１５から離隔する。そして、図５（ａ）及び図５（ｂ）に示すように、画像読取手段２０が第１移動位置２６に到達する（Ｓ０４）と、突出部３４がカム部４２の頂面４２ａと当接し、押圧面部３０が載置面１５から離隔した離隔位置に上昇する（Ｓ０５）。そして、押圧面部３０と原稿Ｇとの間に隙間ΔＬが発生する。
【００５３】
カム部４２の頂面４２ａと突出部３４が当接した状態で、画像読取手段２０が予備走査モードで動作する（Ｓ０６）。すなわち、押圧面部３０と原稿Ｇとの間に僅かな隙間ΔＬが発生した状態のまま、カム手段４０を変位させずに、画像読取手段２０のみが載置面１５に対応する領域を矢印Ｂ方向に移動して、原稿Ｇのサイズの読み取りを行う。
【００５４】
前述したように、予備走査モードを行うときには、原稿Ｇと押圧面部３０との間に隙間ΔＬが形成されている。つまり、原稿Ｇと押圧面部３０とが密着している場合（図４（ｂ）参照）に比べて、画像読取手段２０（受光素子）と原稿Ｇの距離と、画像読取手段２０（受光素子）と押圧面部３０の距離とが明らかに相違する。従って、原稿Ｇと押圧面部３０の双方が白色で近似していても、画像読取手段２０（受光素子）は、原稿Ｇと押え部材１７の境界を明確に判別することが可能となる。
【００５５】
原稿サイズの読み取り（予備走査モード）が終了すると、画像読取手段２０は、載置面１５の領域の外側をさらに矢印Ｂ方向に移動して、カム手段４０の第２当接部４１ｂに当接しながらこれを押し進め、図６に示すように、第２移動位置２７に到達する（Ｓ０７）。このカム手段４０の矢印Ｂ方向の移動によって、突出部３４とカム部４２との当接が外れ、押圧面部３０は、載置面１５に載置された原稿Ｇを押圧するように載置面１５に接近する。
【００５６】
次いで、本走査モードで動作するために、画像読取手段２０が一旦矢印Ａ方向に移動して待機位置２５に位置し、待機位置２５から、再び矢印Ｂ方向に移動しながら、原稿Ｇの読み取りを行う（Ｓ０８）。本走査モードを実行するときには、原稿Ｇは押圧面部３０によって、載置面１５に押圧されているので、原稿Ｇが位置ズレすることなく、確実に読み取ることができる。同じ原稿Ｇに対して、再度読み取りを行う必要がある場合には、押圧面部３０が原稿を押圧した状態のまま、載置面１５の領域の内側を画像読取手段２０がＹ軸方向に往復移動すればよい。
【００５７】
また、本走査モードでの原稿Ｇの読み取りを、第２移動位置２７から一旦待機位置２５に戻って始めるのではなく、第２移動位置２７から矢印Ａ方向に移動しながら読み取るようにしてもよい。さらに、Ｓ０２の、白基準、黒基準のデータ取得を本走査モードの直前に実行するようにしてもよい。
【００５８】
そして、画像の読み取りが終了（Ｓ０９）すると、画像読取手段２０は、待機位置２５に移動して、次の指令を待機する（Ｓ１０）。
【００５９】
このように、本実施形態では、原稿を読み取るため本走査モードに先立って、原稿のサイズを検知するための予備走査モードを行うが、原稿を押圧する押圧面部３０（押え部材１７）を、載置面１５に対して接離動可能に設けている。従って、予備走査モードでは、押圧面部３０と原稿Ｇとの間に隙間ΔＬ（図４（ｂ）参照）を発生させて、押圧面部３０が白色であっても、原稿サイズの検出を正しく行うことができる。
【００６０】
一方、本走査モードでは、押圧面部３０によって原稿を載置面１５側に押圧するから、原稿のズレを防止しながら、確実に読み取ることができる。もちろん、押圧面部３０が白色であるから、押圧面部３０の色が、原稿の読み取りに悪影響を与える心配もない。
【００６１】
なお、上記実施形態では、押え部材１７の接離動による風圧で、原稿が位置ズレする可能性も僅かながらある。このような場合には、本出願人が、特開２００７−１０４０９３号公報で開示しているような、透明なシート材からなる原稿載置補助部材を原稿台１４に接合しておいてもよい。この場合、原稿は、その一部または全部が、原稿載置補助部材の下面と載置面１５との間に挟持されるようにして載置され、蓋体１１の回動や押え部材１７の接離動によって風圧が生じたときにも、原稿が適正な位置からずれることを防止できる。もちろん、原稿載置補助部材は透明であるため、原稿の読み取りや原稿サイズの検出に悪影響を与える心配がない。
【００６２】
次に、本発明の第２実施形態について、図９に基づいて説明する。第２実施形態の画像読取装置１０では、平板状の押え部材１７の押圧面部３０を原稿台１４に接離動させる手段として、電磁ソレノイド５０を用いている。電磁ソレノイド５０を消磁した状態では、押圧面部３０が、原稿台１４の載置面１５に接近し、電磁ソレノイド５０を励磁すると押圧面部３０が、原稿台１４から離隔するようにしている。押圧面部３０は、押圧面部３０と蓋体１１との間に配置したバネ等の弾性部材５１によって、載置面１５側に付勢されている。なお、電磁ソレノイド５０の配置位置や、平板状の押え部材１７との接続構成は、図９に限定するものではなく、適宜変更することができる。
【００６３】
この第２実施形態の構成でも、第１実施形態と同様に、画像読取手段２０が予備走査モードを行うときは、押圧面部３０が原稿台１４から離隔し、画像読取手段２０が本走査モードを行うときは、押圧面部３０が原稿台１４に接近するようにしている。これにより、第１実施形態と同様の効果が得られる。
【００６４】
次に、本発明の別の実施形態について、図１０を用いて説明する。第３実施形態の押え部材１７は、可撓性を有する素材からなっていて、押え部材１７全体が原稿台１４に対して接離動するのではなく、画像読取手段２０と対向する押え部材１７の部位が、画像読取手段２０のＹ軸方向の移動に沿って部分的に載置面１５から離隔するようにしている。つまり、画像読取手段２０として、ラインイメージセンサを採用しているから、画像読取手段２０に対応するラインの近傍のみにおいて、押え部材１７が載置面１５（原稿）から離隔していれば、第１実施形態と同様の効果が得られるのである。
【００６５】
図１０（ａ）に示す第３実施形態は、押え部材１７に可撓性を有する押圧面部１３０を設ける一方、押圧面部１３０に対向する蓋体１１の内側に、Ｘ軸方向に押え部材１７と同程度に長い電磁石５２を、Ｙ軸方向に沿って多数を並設している。一方、押圧面部１３０の蓋体１１側の面は磁性体５３で形成されている。
【００６６】
上記構成では、画像読取手段２０の移動に連動して、画像読取手段２０と対向する部位の電磁石５２を通電することで、押圧面部１３０が部分的に電磁石５２に吸引され、吸引された押圧面部１３０の部位が載置面１５から離隔する。これにより第１実施形態と同様の効果が得られる。
【００６７】
図１０（ｂ）に示す第４実施形態は、押え部材１７を、押圧面部２３０として、Ｙ軸方向に可撓性を有しＸ軸方向に剛性を有している素材を用いている。例えば、白色の剛性（保形性）を有するプラスチック製の押え部材１７を用い、押圧面部２３０の載置面１５側の面が平坦面で、押圧面部２３０に蓋体１１側の面に、Ｘ軸方向に長い切り込み５５をＹ軸方向に多数並設している。つまり、押圧面部２３０は、切り込み５５によってＹ軸方向の可撓性が付与される。
【００６８】
一方、原稿台１４の周辺部１３の第２辺部１３ｂ及び第３辺部１３ｃ上には、それぞれＸ軸方向の長さの短い円柱状の補助部材５６が配置され、Ｙ軸方向に往復移動可能に支持されている。２つの補助部材５６は、画像読取手段２０のＹ軸方向の移動に連動して、一体的にＹ軸方向に移動（転動、摺動の何れでもよい）する。
【００６９】
つまり、押圧面部２３０はＸ軸方向に剛性を有しているため、補助部材５６は押圧面部２３０のＸ軸方向の両端部のみを支持して持ち上げると、押圧面部２３０がＸ軸方向の長さすべてに渡って持ち上げられ、原稿との間に隙間を生じる。従って、補助部材５６が画像読取手段２０の移動に連動してＹ軸方向に移動すると、補助部材５６によって持ち上げられる押圧面部２３０の部位もＹ軸方向に変化する。これにより、第１実施形態と同様の効果が得られる。
【００７０】
なお、補助部材５６は、図１０（ｂ）に示した構造に限定するものではなく、第２辺部１３ｂ及び第３辺部１３ｃにそれぞれＹ軸方向に長く延びるスリット部を設け、スリット部を取って補助部材５６が下方から上方の突出するようにしてもよい。
【図面の簡単な説明】
【００７１】
【図１】本発明の画像読取装置を備える多機能装置の斜視図である。
【図２】図１のII−II線矢視断面図である。
【図３】蓋体を開放した状態の画像読取装置の斜視図である。
【図４】（ａ）は図３のIVa−IVa線矢視断面の模式的な図、（ｂ）は図３のIVb−IVb線矢視断面の模式的な図である。
【図５】（ａ）は画像読取手段が第１移動位置にあるときの図４（ａ）に相当する図、（ｂ）は画像読取手段が第１移動位置にあるときの図４（ｂ）に相当する図である。
【図６】画像読取手段が第２移動位置にあるときの図４（ａ）に相当する図である。
【図７】制御部のブロック図である。
【図８】原稿の画像読取指令における動作を説明するフローチャートである。
【図９】第２実施形態の画像読取装置の模式的な図である。
【図１０】（ａ）は第３実施形態の画像読取装置の模式的な図、（ｂ）は第４実施形態の画像読取装置の模式的な図である。
【符号の説明】
【００７２】
１        多機能装置
１０      画像読取装置
１１      蓋体
１２      ガラス板
１３      周辺部
１３ａ    第１辺部
１３ｂ    第２辺部
１３ｃ    第３辺部
１４      原稿台
１５      載置面
１７      押え部材
２０      画像読取手段
２５      待機位置
２６      第１移動位置
２７      第２移動位置
３０      押圧面部
３１      基部
３４      突出部
３５      穴部
４０      カム手段
４１ａ    第１当接部
４１ｂ    第２当接部
４２      カム面
４２ａ    頂面
４２ｂ    傾斜面
５０      電磁ソレノイド
３００    制御部
【図１】
0004941667.tif 000002
【図２】
0004941667.tif 000003
【図３】
0004941667.tif 000004
【図４】
0004941667.tif 000005
【図５】
0004941667.tif 000006
【図６】
0004941667.tif 000007
【図７】
0004941667.tif 000008
【図８】
0004941667.tif 000009
【図９】
0004941667.tif 000010
【図１０】
0004941667.tif 000011